(57)【要約】【課題】蓋体を本体に取り付けるとき、ダンパの位置調整が不要で、蓋体を本体に簡単かつ短時間で取り付けることができる加熱調理器を提供すること。【解決手段】加熱調理器は、本体（１）と、この本体（１）に蓋をする蓋体（２）と、ダンパアッセンブリ（３）とを備えている。ダンパアッセンブリ（５）は、本体（１）に取り付けられる取付部（１１）と、アーム部（１２）と、反力部（１３）とを有する取付ブラケット（１０）と、アーム部（１２）に回転可能に支持されると共に、蓋体（２）に固定された回転軸（２０）と、この回転軸（２０）に取り付けられて、蓋体（２）を開方向に付勢する付勢部材（３０）と、回転軸（２０）に取り付けられると共に反力部（１３）から反力を受けて、蓋体（２）の開方向の動き、つまり、回転軸（２０）の回転に制動を掛けるダンパ（４０）とを有し、蓋体（２）に取り付けられた後、本体（１）に取り付けられる。【選択図】図３
2014057714.tif 000002
【特許請求の範囲】
【請求項１】
被調理物を収容する本体と、
この本体に蓋をする蓋体と、
ダンパアッセンブリと
を備え、
上記ダンパアッセンブリは、
上記本体に取り付けられる取付部と、アーム部と、反力部とを有する取付ブラケットと、
上記アーム部に回転可能に支持されると共に、上記蓋体に固定された回転軸と、
この回転軸に取り付けられて、上記蓋体を開方向に付勢する付勢部材と、
上記回転軸に取り付けられると共に、上記反力部から反力を受けて、上記蓋体の開方向の動きに制動を掛けるように上記回転軸の回転に制動を掛けるダンパと
を有することを特徴とする加熱調理器。
【請求項２】
請求項１に記載の加熱調理器において、
上記取付ブラケットの取付部は、上記ダンパおよび回転軸を内側に向けて、上記本体に固定されていることを特徴とする加熱調理器。
【発明の詳細な説明】
【技術分野】
【０００１】
本発明は、加熱調理器に関する。
【背景技術】
【０００２】
従来、加熱調理器としては、特開２００９−１９５２５９号公報（特許文献１）に記載されているものがある。この加熱調理器は、本体と、この本体に蓋をする蓋体と、上記本体に回転可能に支持されると共に、上記蓋体に固定されたヒンジピンと、このヒンジピンに取り付けられて、蓋体を開方向に付勢するスプリングと、上記ヒンジピンに取り付けられると共に、上記本体から反力を受けるダンパとを備えている。そして、上記蓋体が開方向に動くとき、上記ダンパが本体から反力を受けて、ヒンジピンの回転に制動を掛けることで蓋体の開方向の動きに制動を掛けるようにしている。
【先行技術文献】
【特許文献】
【０００３】
【特許文献１】特開２００９−１９５２５９号公報
【発明の概要】
【発明が解決しようとする課題】
【０００４】
しかしながら、上記従来の加熱調理器では、上記蓋体を本体に取り付けるとき、上記ダンパが本体の所定の位置に当接するように位置調整をして、ダンパが本体から反力を受けるようにする必要があった。このため、上記蓋体を本体に取り付けるのが困難で、時間を要するという問題があった。
【０００５】
そこで、本発明の課題は、蓋体を本体に取り付けるとき、ダンパの位置調整が不要で、蓋体を本体に簡単かつ短時間で取り付けることができる加熱調理器を提供することにある。
【課題を解決するための手段】
【０００６】
上記課題を解決するため、本発明の加熱調理器は、
被調理物を収容する本体と、
この本体に蓋をする蓋体と、
ダンパアッセンブリと
を備え、
上記ダンパアッセンブリは、
上記本体に取り付けられる取付部と、アーム部と、反力部とを有する取付ブラケットと、
上記アーム部に回転可能に支持されると共に、上記蓋体に固定された回転軸と、
この回転軸に取り付けられて、上記蓋体を開方向に付勢する付勢部材と、
上記回転軸に取り付けられると共に、上記反力部から反力を受けて、上記蓋体の開方向の動きに制動を掛けるように上記回転軸の回転に制動を掛けるダンパと
を有することを特徴としている。
【０００７】
上記構成の加熱調理器によれば、上記ダンパは、上記ダンパアッセンブリの回転軸に取り付けられると共に、上記ダンパアッセンブリの取付ブラケットの反力部から反力を受けて、上記回転軸の回転に制動を掛ける。したがって、上記蓋体を上記本体に取り付けるとき、上記ダンパが取り付けられたダンパアッセンブリを本体に取り付けるだけでよく、ダンパの位置調整が不要で、蓋体を本体に簡単かつ短時間で取り付けることができる。
【０００８】
一実施形態の加熱調理器では、
上記取付ブラケットの取付部は、上記ダンパおよび回転軸を内側に向けて、上記本体に固定されている。
【０００９】
上記実施形態によれば、上記蓋体を上記本体に取り付けるとき、上記取付ブラケットの取付部を、上記ダンパおよび回転軸を内側に向けて、上記本体に対して固定する。したがって、上記取付ブラケットの取付部を本体に対して外側からねじ止め等によって固定しやすいので、蓋体を本体に、より簡単かつ短時間で取り付けることができる。
【発明の効果】
【００１０】
本発明の加熱調理器によれば、蓋体を本体に取り付けるとき、ダンパの位置調整が不要で、蓋体を本体に簡単かつ短時間で取り付けることができる。
【図面の簡単な説明】
【００１１】
【図１】本発明の一実施形態の加熱調理器の概略斜視図である。
【図２】上記加熱調理器の蓋体を開いた状態の概略斜視図である。
【図３】上記蓋体の取付状態を示す概略斜視図である。
【図４】上記加熱調理器のダンパアッセンブリの分解斜視図である。
【図５】上記蓋体に上記ダンパアッセンブリが取り付けられた状態を示す平面図である。
【図６】図５のＡ−Ａ線から見たダンパの概略横断面図である。
【発明を実施するための形態】
【００１２】
以下、本発明の加熱調理器を図示の実施形態により詳細に説明する。
【００１３】
図１に示すように、本実施形態の加熱調理器は、被調理物を収容する本体１と、この本体１に蓋をする蓋体２とを備えている。
【００１４】
上記本体１の前面には、蓋体２を開けるための開ボタン５を設けている。
【００１５】
図２は、上記蓋体２を開いた状態の加熱調理器の概略斜視図である。
【００１６】
図２に示すように、上記蓋体２は、本体１の上面の後部に設けられた凸部１５に回転可能に取り付けられている。
【００１７】
図３は、上記蓋体２を閉じた状態の加熱調理器を後方から見た概略斜視図である。図３では、上記蓋体２の本体１に対する取付状態が見えるように本体１の凸部１５を覆うカバーの一部を取り外している。
【００１８】
図３に示すように、上記加熱調理器は、上記本体１と蓋体２との間に設けられたダンパアッセンブリ３を備えている。
【００１９】
上記ダンパアッセンブリ３は、上記本体１に４本のビス１９，１９，１９，１９で取り付けられた取付ブラケット１０と、両端部が上記蓋体２に固定された回転軸の一例としてのヒンジピン２０と、このヒンジピン２０に取り付けられて、蓋体２を開方向に付勢する付勢部材の一例としての２つのねじりバネ３０，３０と、上記ヒンジピン２０に取り付けられると共に、上記取付ブラケット１０に当接しているダンパ４０とを有している。
【００２０】
図４の分解斜視図に示すように、上記取付ブラケット１０は、金属製の板状部材から一体に成形されている。上記取付ブラケット１０は、上記本体１に取り付けられる取付部１１と、この取付部に対して略直交する方向に延びるアーム部１２，１２と、中央部に位置して上記ダンパ４０が当接する反力部１３とを有している。上記アーム部１２，１２には、それぞれ略円形の貫通穴１２ａ，１２ａが対向して設けられている。
【００２１】
上記ダンパ４０は、粘性流体が密封された円筒部４１と、この円筒部４１内に回転可能に配置された回転部４２と、上記円筒部４１を支持すると共に、上記取付ブラケット１０の反力部１３に当接する支持部４３，４４とを有している。上記回転部４２の中央部には、断面略Ｄ字状の貫通穴４２ａが設けられている。
【００２２】
上記ヒンジピン２０は、金属製の棒状部材であって、断面略Ｄ字状に成形されている。上記ヒンジピン２０は、上記取付ブラケット１０のアーム部１２，１２の貫通穴１２ａ，１２ａ、上記ねじりバネ３０，３０および上記ダンパ４０の貫通穴４２ａに挿通されている。上記ヒンジピン２０は、アーム部１２，１２に回転自在に支持される一方、上記ダンパ４０の回転部４２の貫通穴４２ａに係合して、回転部４２と一体に回るようになっている。
【００２３】
図５は、蓋体２に上記ダンパアッセンブリ３のヒンジピン２０を固定して、蓋体２とダンパアッセンブリ３とを内側から外側へ向かって見た図である。
【００２４】
図５に示すように、上記ねじりバネ３０，３０は、それぞれ一端部が上記蓋体２に支持されると共に他端部が上記取付ブラケット１０の取付部１１に支持され、蓋体２を常に開方向に付勢するようになっている。
【００２５】
図６の断面図に示すように、上記ダンパ４０の支持部４３，４４は、上記取付ブラケット１０の反力部１３にそれぞれ当接して、この反力部１３から反力を受けるようになっている。そして、上記蓋体２が開方向に動いてヒンジピン２０および回転部４２が回転するとき、上記ダンパ４０は、円筒部４１内に密封された粘性流体の流体摩擦抵抗によって、回転部４２およびヒンジピン２０の回転に制動を掛けて、蓋体２の開方向の動きに制動を掛けるようになっている。
【００２６】
上記構成の加熱調理器では、まず、ダンパアッセンブリ３のヒンジピン２０を蓋体２に固定した後、ダンパアッセンブリ３を本体１に固定するだけで、ダンパ４０の位置調整をする必要なく簡単に固定できる。このように、上記蓋体２を本体１に取り付けるとき、ダンパアッセンブリ３を本体１に固定するだけでよく、ダンパ４０が正しい位置に取り付けられるように位置調整をする必要がなく、蓋体２を本体１に簡単かつ短時間で取り付けることができる。
【００２７】
また、図３に示すように、上記蓋体２を上記本体１に取り付けるとき、上記取付ブラケット１０の取付部１１を、上記ダンパ４０およびヒンジピン２０を内側に向けて、上記本体１に対して固定する。したがって、上記取付ブラケット１０の取付部１１を本体１に対して外側からビス１９，１９，１９，１９によって固定しやすいので、蓋体２を本体１に対して、より簡単かつ短時間で取り付けることができる。
【００２８】
なお、上記実施形態では、上記ダンパ４０は、円筒部４１内に密封された粘性流体の流体摩擦抵抗によって、回転部４２の回転に制動を掛けていたが、この発明では、磁気を用いて回転部の回転に制動を掛けるダンパ等を用いてもよい。
【００２９】
また、上記実施形態では、２つの上記ねじりバネ３０，３０が、蓋体２を開方向に付勢していたが、この発明では、板バネ等を用いてもよい。
【００３０】
また、上記実施形態では、２つの上記ねじりバネ３０，３０がヒンジピン２０に取り付けられていたが、この発明では、ねじりバネの数は２つでなくても、例えば１つにしてもよい。
【符号の説明】
【００３１】
１  本体
２  蓋体
３  ダンパアッセンブリ
１０  取付ブラケット
１１  取付部
１２  アーム部
１３  反力部
２０  ヒンジピン
３０  ねじりバネ
４０  ダンパ
【図１】
2014057714.tif 000003
【図２】
2014057714.tif 000004
【図３】
2014057714.tif 000005
【図４】
2014057714.tif 000006
【図５】
2014057714.tif 000007
【図６】
2014057714.tif 000008